(57)【要約】【課題】ハンドオーバーに関連した判断実行を測定に基づいて行うと同時に、ハンドオーバーに関連した判断実行に使用する容量を最小にするための解決策を提供する。【解決手段】セルラー無線システムが先ず少なくとも１つのスレッシュホールド値をターミナルへ送信する。次いで、ターミナルは、少なくとも１つのベースステーションにより送信された信号の強度を測定し、そしてその測定された信号強度を上記スレッシュホールド値と比較する。受信信号の信号強度が上記スレッシュホールド値より低い場合には、第２システムの信号の測定を実行できるモードへと送信モードが切り換わる。【選択図】図１
2006129531.tif 000002
【特許請求の範囲】
【請求項１】
セルラー無線システムのターミナルにおいて少なくとも１つの他のシステムにより送信された信号の電力レベルの測定を開始する方法において、ターミナルにより受信されたセルラー無線システムのベースステーションの信号の電力レベルが所定のスレッシュホールド値より低いままであるときに、少なくとも１つの他のシステムの少なくとも１つのベースステーションにより送信される信号の電力レベルの測定を開始することを特徴とする方法。
【請求項２】
ベースステーション特有のスレッシュホールド値が定義される請求項１に記載の方法。
【請求項３】
ベースステーション特有のスレッシュホールド値がベースステーションのリストに関連してターミナルに送信される請求項２に記載の方法。
【請求項４】
上記少なくとも１つの他のシステムのベースステーションの送信電力の測定に基づいてセルラー無線システムへ応答情報が与えられる請求項１に記載の方法。
【請求項５】
セルラー無線ネットワークにおけるターミナル位置の推定が測定報告に基づく応答情報として送信される請求項４に記載の方法。
【請求項６】
ターミナルがセルラー無線システムへの無線接続を有するときに上記少なくとも１つの他のシステムの送信電力の測定が行われる請求項１に記載のシステム。
【請求項７】
上記測定は、圧縮送信モードを使用して実行される請求項６に記載の方法。
【請求項８】
セルラー無線システムは、少なくとも１つのスレッシュホールド値をターミナルへ送信し(301)、
ターミナルは、セルラー無線システムの少なくとも１つのベースステーションにより送信される信号の強度を測定し(302)、
ターミナルは、その測定された信号強度を上記スレッシュホールド値と比較し(303)、
上記測定された信号強度が上記スレッシュホールド値より低い場合に、ターミナルは、セルラー無線システムから自由測定時間を要求し(304)、
上記要求に対する応答として、セルラー無線システムは、ターミナルに送信される少なくとも１つのフレームの間に圧縮送信モードを使用し、そして
ターミナルは、圧縮送信モードにより形成された少なくとも１つの空き周期中に上記第２システムの少なくとも１つのベースステーションの信号を測定する(305)という段階を含む請求項１に記載の方法。
【請求項９】
上記セルラー無線システムは、ＷＣＤＭＡシステムである請求項１に記載の方法。
【請求項１０】
上記少なくとも１つの第２システムは、ＧＳＭ９００システムである請求項１に記載の方法。
【請求項１１】
上記少なくとも１つの第２システムは、ＧＳＭ１８００システムである請求項１に記載の方法。
【請求項１２】
上記少なくとも１つの第２システムは、ＵＴＲＡ ＴＤＤシステムである請求項１に記載の方法。
【請求項１３】
少なくとも２つの異なるセルラー無線システムにより送信される信号の電力レベルの測定を開始するターミナルにおいて、
第１セルラー無線システムによりターミナルに送信される少なくとも１つのスレッシュホールド値を受信するための手段と、 第１セルラー無線システムの少なくとも１つのベースステーションにより送信される信号の強度を測定するための手段と、
その測定された信号強度を上記スレッシュホールド値と比較するための手段(616)と、
第１セルラー無線システムから空き測定周期を要求するための手段(617)であって、上記測定された信号強度が上記スレッシュホールド値より低いときに空き測定周期を要求するように構成された手段と、
少なくとも１つの空き測定周期の間に上記第２システムの少なくとも１つのベースステーションの信号を測定するための手段と、を備えたことを特徴とするターミナル。
【請求項１４】
上記ターミナルは、圧縮送信モードで測定を実行するように構成された請求項１３に記載のターミナル。
【請求項１５】
上記ターミナルは、移動ステーションである請求項１３に記載のターミナル。
【発明の詳細な説明】
【技術分野】
【０００１】
本発明は、２つのシステム間のハンドオーバーにおいて測定を実現するための方法に係る。より詳細には、本発明は、少なくとも一方がＷＣＤＭＡシステムであるシステム間でハンドオーバーを実現するための方法に係る。
【背景技術】
【０００２】
移動通信システムは、常に開発が進んでいる。現在でも多数の異なる移動通信システムが使用されて、同じエリアで互いに重畳して動作している。現在、最も頻繁に使用されているネットワークの１つは、ＧＳＭ（移動テレコミュニケーション用のグローバルシステム）ネットワークであり、これは、広く利用され普及しているために長期間使用されるであろう。このネットワークと平行して新規なネットワークトポロジーが出現し、これらの新規なトポロジーを使用するには、通常、新規なターミナルが必要となる。将来的には、ターミナルを多数のネットワークに使用できねばならない。従って、第１ネットワークの使用から第２ネットワークの使用への切り換えを、問題なく行わねばならない。
【０００３】
より詳細には、現在の一般的な見解では、将来の移動通信ネットワークの少なくとも幾つかがいわゆるワイドバンドＣＤＭＡ技術（ＷＣＤＭＡ：ワイドバンドコード分割多重アクセス）に基づくものとなろう。ＷＣＤＭＡ技術は、現在、例えば、ＵＭＴＳシステム（ユニバーサル移動テレコミュニケーションシステム）に適用されている。従って、例えば、ＷＣＤＭＡシステムのターミナルは、必要なときに例えばＧＳＭ接続を使用するように切り換えできることが重要である。１つのネットワークの使用から別のネットワークの使用への切り換えは、通常、システム間ハンドオーバーと称される。
【０００４】
ターミナルは、例えば、それが接続された第１ネットワークのカバレージエリアの外に出るときに、その第１ネットワークから別のネットワークに切り換わるように強制される。次いで、第２ネットワークのカバレージエリアがターミナルの新たな地理的位置において充分である場合に、その第２ネットワークシステムを使用するように切り換えることが好都合となる。このような場合に、１つのネットワークの使用から第２ネットワークの使用への切り換えは、同じネットワーク内のベースステーション間のハンドオーバーと同じ動作で行えるのが好都合である。
【０００５】
第２ネットワークを使用するように切り換えねばならないときの問題に対する解答は明瞭なものではない。第１の考え方によれば、ターミナルが最初にリンクされたネットワークからの受信が切断したときに第２ネットワーク構成を使用するようにターミナルが盲目的に切り換えることである。別の考え方によれば、ＴＤＭＡシステム（時分割多重アクセス）を使用する現在のネットワーク解決策の場合と同様に、ネットワーク間で測定を行うことができる。この構成では、接続のクオリティが測定され、そしてそれが不充分である場合、ターミナルは、第２のネットワークを使用するように切り換える。
【０００６】
上述した第１解決策における問題は、ターミナルが第２ネットワークの使用へと切り換わるように盲目的に判断する場合に、第２ネットワークからの受信が、現在使用されているネットワークからの受信より優れていることを完全に保証するものでないことである。新たなネットワークからの受信が弱い場合、又は全く受信がない場合には、ターミナルは、一瞬、考えられる両ネットワークへの接続を失うことになる。従って、ネットワークの盲目的切り換えは、非常に信頼性の低いやり方であると考えられる。第２の公知解決策の構成は、他の点では受け入れられるが、ＷＣＤＭＡシステム（ワイドバンドコード分割多重アクセス）のようなあらゆるネットワークシステムに使用するのに適したものではない。その理由は、ハンドオーバー時にＴＤＭＡシステムにおいて行われる測定がＷＣＤＭＡシステムの動作に干渉し、該システムの容量を減少するからである。
【０００７】
上述した解決策は、第１及び第２のネットワークが同様のシステムを有し即ちその両方が例えばＧＳＭネットワークであるような状況に適用すると意図されることに特に注意されたい。それらは、例えば、異なるオペレータが互いのネットワーク間のローミングに関して相互の契約を有することにより維持することができる。従って、当該ネットワークが技術に関して互いに相違する場合には上記解決策を直接適用することができない。
【０００８】
特許出願ＷＯ９７３１５０３号は、ＣＤＭＡ及びＧＳＭの両方のサービスを提供するセルラー電話システムを開示している。このシステムでは、識別可能なＣＤＭＡパイロット信号を発生する特定のＣＤＭＡパイロットビーコンが、ＧＳＭベースステーション又はその付近に配置されている。従って、ＣＤＭＡサービス領域のエッジがこれらのパイロットビーコンによって指示される。加入者ユニットは、ＣＤＭＡパイロット信号を検出し、そしてＣＤＭＡシステムのベースステーションコントローラにそれを通知する。ベースステーションコントローラは、ＣＤＭＡパイロット信号を、ＣＤＭＡパイロットビーコンに関連した信号として識別し、そしてＣＤＭＡからＧＳＭへのハンドオーバーを開始する。
【０００９】
【特許文献１】国際公開第９７／３１５０３号パンフレット
【発明の開示】
【発明が解決しようとする課題】
【００１０】
本発明の目的は、上述した公知技術の問題を解消し、そして当該ハンドオーバーに関連した判断実行を測定に基づいて行うと同時に、ハンドオーバーに関連した判断実行に使用する容量を最小にするための効果的な解決策を提供することである。
【００１１】
本発明の目的は、第２ネットワークの送信電力を測定するようにターミナルを構成することによって達成される。好ましくは、ターミナルは、第２システムの送信電力の測定が必要とされるときだけそれを行うように構成される。
【課題を解決するための手段】
【００１２】
第１セルラー無線システムを使用するターミナルにおいて少なくとも１つの第２セルラー無線システムにより送信された信号の電力レベルの測定を開始するための本発明による方法は、ターミナルにより受信された第１セルラー無線システムのベースステーションの信号の電力レベルが所定のスレッシュホールド値より低いままであるときに、上記第２セルラー無線システムの少なくとも１つのベースステーションにより送信される信号の電力レベルの測定を開始することを特徴とする。
【００１３】
本発明によるターミナルは、セルラー無線システムのターミナルであって、第１セルラー無線システムを使用する間に、少なくとも１つの第２セルラー無線システムにより送信される信号の電力レベルの測定を開始することがき、そして第１セルラー無線システムによりターミナルに送信される少なくとも１つのスレッシュホールド値を受信するための手段と、第１セルラー無線システムの少なくとも１つのベースステーションにより送信される信号の強度を測定するための手段と、その測定された信号強度を上記スレッシュホールド値と比較するための手段と、第１セルラー無線システムから空き測定周期を要求するための手段であって、上記測定された信号強度が上記スレッシュホールド値より低いときに空き測定周期を要求するように構成された手段と、少なくとも１つの空き測定周期の間に上記第２セルラー無線システムの少なくとも１つのベースステーションの信号強度を測定するための手段とを備えたことを特徴とする。
本発明の効果的な実施形態は、従属請求項に記載する。
【００１４】
本発明によれば、あるネットワーク要素は、信号強度のスレッシュホールド値のリストをターミナルに送信する。ターミナルにより受信された信号電力をこのスレッシュホールド値と比較することにより、ターミナルは、第２セルラー無線システムの信号強度の測定を開始すべきかどうか判断する。測定中に、アップリンク及びダウンリンク接続の少なくとも一方に対する送信の仕方を変更し、第２システムへの接続が作用する場合でも測定を同時に実行することができる。本発明による解決策は、使用される第１システムがＷＣＤＭＡシステムでありそしてその使用中にＧＳＭシステムを使用するように切り換えるための判断がなされる状態において特に良好に適用できる。
【発明を実施するための最良の形態】
【００１５】
以下、対応する部分が同じ参照番号で示された添付図面を参照して、本発明の好ましい実施形態を詳細に説明する。
【００１６】
ターミナルがある地理的エリア内を移動するときには、ネットワーク接続のクオリティが著しく変化し得る。接続のクオリティは、特に、例えばある移動通信ネットワークの境界領域に接近するときに低下し始める。従って、本発明によれば、第２ネットワークの信号の測定も開始され、この測定に基づいて、必要なときにネットワークの切り換えを行うことができる。ベースステーションが、使用周波数等の隣接セルに関する種々の情報をターミナルに送信するようなセルラー無線システムでは、本発明により、この情報に、ターミナルが各セルから得なければならない信号最小電力即ちスレッシュホールドレベルに関する情報を追加することができる。この情報に基づき、ターミナルは、必要なときに、第２の移動通信ネットワークの送信電力の測定も開始するよう構成することができる。
【００１７】
図１の構成を一例として説明する。この図では、実線及び大文字Ａ−Ｇで第１システムのセルが示され、そして破線及び小文字ａ−ｈで第２システムのセルが示されている。問題とする瞬間にターミナルが上記第１ネットワークへの接続を有する状態について検討する。ターミナルが先ずセルＡにあるとする。ネットワークを経て、ターミナルは、そのターミナルが現在位置するセルに対する隣接セルであるセルに関する情報を連続的に受信する。この情報は、各セルの特性、例えば使用周波数等である。この情報に基づき、ターミナルは、各隣接セルの送信電力のスレッシュホールド値も受信し、従って、各ベースステーションから受信される信号の電力レベルは、これらスレッシュホールド値を越えねばならない。ここに例示する状態では、ターミナルがセルＡからセルＢへ移動し、そして当該ネットワークの連続的カバレージエリアの外部境界に向かう方向、即ちセルＢの外部境界に向かう方向に移動する。ここに例示する状態では、ターミナルがセルＢの特定のポイントに位置するときに、ある隣接セルから受信される信号電力が所定のスレッシュホールド値より下がり、従って、ターミナルがそのとき位置するセルのベースステーションにより、上述したスレッシュホールド値のリストの助けでターミナルにスレッシュホールドが知らされる。従って、ターミナルは、第２移動通信システムの送信電力の測定を開始するように構成され、これら測定に基づいて、ターミナルは、必要なときに、第２ネットワークのサービスを使用するように切り換わることができる。第２ネットワークのセルは、図１に、破線及び小文字で示されている。上記第１ネットワークは、例えば、ＷＣＤＭＡネットワークであり、そして上記第２ネットワークは、例えば、ＧＳＭネットワークである。
【００１８】
次に、ＷＣＤＭＡシステムの典型的な特徴、即ちネットワーク間のハンドオーバーに使用できる圧縮送信モード（スロットモード）について述べる。これは、ＷＣＤＭＡシステムにおいて送信に使用されるフレームに含まれたデータの送信モードを制御できることを意味する。１つのフレーム内でデータの送信に使用される時間は、送信電力の助けで制御することができる。一般的に、データの送信に必要な時間が短いほど、必要な送信電力が高いと言える。図２のａ−ｄは、ＷＣＤＭＡシステムにおける幾つかの考えられる送信構成を示す。図２のａは、各フレームの送信が同じ長さのタイムスロットにおいて同じ送信電力で実行されるいわゆる通常状態におけるデータ送信を示す。送信電力は、垂直方向にフレームを表わす長方形のサイズに比例し、そして送信時間は、水平方向にフレームを表わす長方形のサイズに比例する。図２のｂは、より高い送信電力を使用することにより最後のフレーム全体がフレームの前半に送信される状態を示す。フレームの後半にもフレームを送信できることが当業者に明らかであろう。図２のｃは、最後のフレームのデータが同じフレーム中に２つの異なる部分で送信される構成を示す。データの一部分は、フレームの前半に送信され、そしてそのフレームのデータの残りは、フレームの後半に送信され、従って、データ送信とデータ送信との間に、データが送信されない周期が残される。対応的に、図２のｄでは、送信データが圧縮され、従って、データ送信に使用される時間が通常の状態より短くても、使用する送信電力を変更する必要はない。新規な構成によってデータが送信される図示された状態は、圧縮送信モード（スロットモード）と称される。当業者であれば、送信電力のような圧縮方法を変更することにより、多数の上記圧縮送信モードを構成できることが明らかであろう。
【００１９】
次に、本発明による構成体の動作をフローチャートで説明する。フローチャートが図３に示されている。第１ステップ３０１において、セルラー無線システムは、例えば、ベースステーションのリストに関連して少なくとも１つのスレッシュホールド値をターミナルに送信する。ターミナルは、そのリストを受信すると、セルラー無線システムの少なくとも１つのベースステーションにより送信された信号の強度を測定する（ステップ３０２）。次のステップ３０３において、ターミナルは、測定された信号を少なくとも１つのスレッシュホールド値と比較するように構成される。この比較により、測定された信号の強度がスレッシュホールド値より高いことが示されると、１つの好ましい実施形態では、所定時間の後に新たな信号強度測定を行うように切り換わることができる。測定された信号の強度が所定のスレッシュホールド値より低い場合には、ターミナルは、第２システムを測定するために、セルラー無線システムの空き測定時間を要求するように構成される（ステップ３０４）。セルラー無線システムが、例えば、送信状態の再構成により測定時間を許可すると、ターミナルは、第２システムの少なくとも１つのベースステーションにより送信された信号の強度を測定し始める（ステップ３０５）。測定は、送信フレームに配置された少なくとも１つの空き周期中に実行されるのが好都合である。当業者に明らかなように、ターミナルへの上記スレッシュホールド値の送信も、所定時間の後に行われるのが好都合である。
【００２０】
例えば、上記第１ネットワークがＷＣＤＭＡネットワークでありそして上記第２ネットワークがＧＳＭ９００ネットワークである状態において、ＷＣＤＭＡシステムの上記特徴を利用する本発明の上記構成体について検討する。本発明のこの説明では、図１を参照する。実線及び大文字で示されたセルは、ＷＣＤＭＡシステムのセルであり、そして対応的に、破線及び小文字で示されたセルは、ＧＳＭ９００システムのセルである。ターミナルは、ＷＣＤＭＡシステムのセルＡのベースステーションへのアクティブな接続を有する。ターミナルはセルＢへ移動する。現在セルのベースステーションから、ターミナルは、隣接セルのパラメータに関する通常の情報を得る。同じ接続において、ターミナルが少なくとも隣接セルのベースステーションから信号を受信しなければならないところの送信電力のスレッシュホールド値に関する情報が送信される。例えば、１つの隣接ベースステーションから受信された信号の電力レベルが上記ベースステーションに対して設定されたスレッシュホールド値より低い場合には、ターミナルが第２システムの送信電力を測定するよう移行できるのが好ましい。この状態は、例えば、ターミナルが図１の例でＢと示されたセルの周囲へ移動し、ここで、同じシステムの隣接セルの送信電力がスレッシュホールド値より低く保たれている場合に生じる。ターミナルが接続中に別のシステムの送信電力を測定するように移行するときには、アップリンク又はダウンリンクのいずれかの接続において接続の形式を変更しなければならない。効果的な実施形態の場合、これはダウンリンク接続において行われ、従って、ターミナルは、第２ネットワークの信号も受信する時間を有する。フレームにおいてデータが送信されないときには、測定が常に図４に基づいて行われるのが好都合である。圧縮送信モードで送信されるデータは、図４に示す以外のやり方でフレームに構成できることも明らかである。当業者に明らかなように、ターミナルが第２システムの送信電力をいつ測定し始めるかも、上記以外のやり方で構成できる。１つの構成によれば、ターミナルは、２つのベースステーションの送信電力が所定のスレッシュホールド値より低く保たれるときだけ、第２システムの送信電力を測定し始める。上記ベースステーションは、測定の必要性に関して３つ以上のベースステーションについても同様に考えることができる。
【００２１】
次いで、第１システムがＷＣＤＭＡシステムでありそして第２システムがＧＳＭ１８００システムである移動通信システムに本発明による方法をいかに適用するかについて説明する。図５は、アップリンク及びダウンリンクの両方について上記システムにより使用される周波数帯域を示す。この場合、本発明による方法は、上述したものに対応するやり方で適用される。ターミナルは、ＷＣＤＭＡシステムのベースステーションにより送信された所定数の信号が、ターミナルに前もって送信されたスレッシュホールド値より低く保たれるときには、ＧＳＭ１８００ネットワークの信号を測定するように移行する。しかしながら、図５を参照すれば、ＷＣＤＭＡシステムのアップリンク周波数１９２０−１９８０ＭＨｚ（ＵＴＲＡ ＦＤＤアップリンク；ＵＭＴＳ地上無線アクセス周波数分割デュープレックス）は、ＧＳＭ１８００システムのダウンリンク周波数１８０５−１８８０ＭＨｚに極めて接近していることが明らかである。ターミナルにおける送信区分及び受信区分は、このように互いに接近した周波数を充分良好に区別することはできないので、ここに例示する実施形態では、アップリンク及びダウンリンクの両接続について上記圧縮送信モードが使用される。この構成により、第２システムの測定が他のシステムの接続に干渉せずそしてその逆のことも言えるように確保することができる。
【００２２】
当業者に明らかなように、上記ＧＳＭ１８００システムに係る対応する測定上の問題は、ＵＴＲＡ ＴＤＤシステム（ＵＭＴＳ地上無線アクセス時分割デュープレックス）の測定にも関連している。ＵＴＲＡ ＴＤＤシステムにより使用される奇数周波数帯域１９００−１９２０ＭＨ及び２０１０−２０２５ＭＨｚは、ＷＣＤＭＡシステムのアップリンク周波数に接近して位置する。従って、ＵＴＲＡ ＴＤＤシステムを測定するためにはアップリンクの送信を中断しなければならない。ＵＴＲＡ ＴＤＤシステムにより使用される周波数が図５に示されている。
【００２３】
本発明の好ましい実施形態によれば、ターミナルが、圧縮送信モードの助けで第２システムの送信電力を測定するときには、それが接続された第１システムに応答するようにターミナルを構成することができる。ターミナルは、例えば、第２システムの測定に関する情報を第１システムに通信することができる。第１システムは、次いで、その通信された情報に基づいて測定に関する判断を行うことができる。ターミナルが、第２システムのあるセルのベースステーションの送信電力を現在測定している場合には、当該セルの周りのセルも測定するようにターミナルを構成することができる。更に、第２システムの多数のセルを測定しているターミナルは、例えば、測定報告に関連してその方向又はその位置の推定を第１システムに通信することができる。
【００２４】
又、第１システムは、例えば、ターミナルの位置に基づいて、第２システムに関連した測定に関する判断を行うこともできる。ターミナルの位置は、例えば、第２システムに関連した測定結果から決定することができる。或いは又、第１システムが、第２システムに関連した情報をもたずにターミナルの位置を決定することもできる。ターミナルの位置は、例えば、第２システムに関連した測定がどれほど頻繁に行われるかに作用し得る。ターミナルが、第１システムのカバレージエリアから離れるように移動する場合には、第１システムは、測定をより頻繁に行うようにターミナルを制御することができる。このように、ターミナルは、第２システムの送信電力を正確に監視することができ、そして第２システムが現在接続のクオリティより優れたクオリティを有する接続を与えることができるや否や第２システムへのハンドオーバーを行うことができる。対応的に、第１システムからの受信が良好なエリアに向かってターミナルが移動するときには、第２システムへのハンドオーバーの可能性が通常低くなる。それ故、この場合には、第２システムに関連した測定を低い頻度で行うことができ、そして例えば、第１システムの最至近ベースステーションの測定送信電力が所定のスレッシュホールド値より高いときにおそらく測定を終了することができる。当業者に明らかなように、第２システムに関連した測定を行うのに要する時間は、圧縮送信モードを使用するようにより多くのフレームを変更することで得ることができる。
【００２５】
当業者に明らかなように、本発明による構成は、同じエリアが３つ以上のネットワークを有する状態にも適用できる。例えば、３つのネットワークをもつ場合には、ターミナルが第１システムに接続される。第１ネットワークの電力レベルが所定のスレッシュホールドレベルより下がると、ターミナルは、第２システムの電力レベルを測定し始める。第２システムのスレッシュホールドレベルもターミナルに送信されるように構成され、そして受信した信号の電力レベルをスレッシュホールドレベルと比較することにより、ターミナルが、第３システムの電力レベルを測定するようにシフトできるのが好都合である。測定は、圧縮送信モードで行うのが好都合である。当業者に明らかなように、ターミナルは、上述した以上のシステムの電力レベルを測定するように構成することもできる。
【００２６】
本発明によるターミナルは、例えば、移動ステーションであることが当業者に明らかであろう。図６は、本発明によるターミナルのブロック図であり、ターミナルは移動ステーションである。移動ステーションは、装置の典型的な部分、例えば、マイクロホン６０１、キーボード６０７、ディスプレイ６０６、イヤホン６１４、送信／受信スイッチ６０８、アンテナ６０９及び制御ユニット６０５を備えている。更に、移動ステーションの典型的部分である送信及び受信ブロック６０４、６１１も示されている。送信ブロック６０４は、スピーチエンコード、チャンネルエンコード、暗号化及び変調に必要な機能と、ＲＦ機能とを備えている。受信ブロック６１１は、それに対応するＲＦ機能と、復調、暗号解読、チャンネルデコード及びスピーチデコードに必要な機能とを備えている。マイクロホン６０１から到来し、増幅段６０２で増幅されそしてＡ／Ｄコンバータでデジタル形態に変換された信号は、送信ブロック６０４、通常は、送信ブロックのスピーチエンコード手段に向けられる。送信ブロックで処理され、変調されそして増幅された送信信号は、送信／受信スイッチ６０８を経てアンテナ６０９へ供給される。受信信号は、アンテナから送信／受信スイッチ６０８を経て受信ブロック６１１へ向けられ、該ブロックは、受信信号を復調し、そして暗号解読及びチャンネルデコードを実行する。その結果得られたスピーチ信号は、Ｄ／Ａコンバータ６１２を経て増幅器６１３へそして更にイヤホン６１４へ供給される。制御ユニット６０５は、移動ステーションの動作を制御し、ユーザによりキーボード６０７を経て与えられた制御コマンドを読み取り、そしてディスプレイ６０６を経てユーザにメッセージを与える。例えば、移動ステーションの受信ブロック６１１は、現在セルの周囲のセルにより送信された信号を移動ステーションが受信して処理し、例えば、信号の電力レベルを決定できるようにする手段６１５を備えるのが好都合である。移動ステーションの受信ブロック６１１は、セルラー無線システムにより送信された少なくとも１つのベースステーションの送信電力のスレッシュホールド値をこの同じ手段６１５で受信できるのが好都合である。更に、例えば、移動ステーションの制御ブロック６０５は、受信信号の電力レベルをスレッシュホールド値と比較できるようにする手段６１６を備えている。更に、例えば、移動ステーションの制御ブロック６０５は、比較の結果に基づいて、移動ステーションが第２システムの送信電力も測定できるような圧縮送信モードへ移行するためにセルラー無線システムから許可を要求できるようにする手段６１７も含むのが好都合である。移動ステーションの受信ブロック６１１は、第２システムにより送信された信号を測定できるようにする手段を含むのが好都合である。これらの手段は、第１システムの信号を受信するものと同じでよいが、上記第２システムの信号のみを測定するように構成することもできる。好ましい実施形態によれば、上記手段６１５、６１６、６１７は、例えば、マイクロプロセッサ及びソフトウェアの助けで実現することができる。当業者に明らかなように、上述した構成は、他の対応するターミナルにおいても、移動ステーションと同様に、対応するやり方で実現することができる。
【００２７】
本発明の構成により、ネットワーク間の余計な測定が回避される。ターミナルが、例えば、図１のセルＡに位置する場合には、各ネットワークの受信が良好であり、従って、測定は必要とされない。受信が弱まる上記ネットワークの境界領域へターミナルが移動すると、第２ネットワークの測定のみが開始される。更に、本発明の構成により、例えば、ターミナルの移動方向に依存するように測定の頻度を構成することもでき、この構成では、必要なときにネットワークのリソースを節約することができる。
【００２８】
又、本発明による解決策は、オペレータの観点からも効果的である。移動ステーションのようなターミナルが測定を行うので、ネットワークリソースの節約となる。特に、好都合なことに、ネットワークオペレータは、必要なときに、あるエリアでしか測定を許さないようにネットワークの設定を構成できる。オペレータは、このようなエリアを、例えば、予めの測定により定義することができる。このような構成により、オペレータは、不必要な測定を行わないよう確保することができる。従って、他の必要な機能に対してネットワーク容量を割り当てることができる。
【００２９】
本発明による上記構成は、上記以外のネットワーク解決策にも適用できることが当業者に明らかであろう。本発明は、一般的に、請求の範囲に規定された本発明の考え方の中で適用し得るものである。
【図面の簡単な説明】
【００３０】
【図１】２つのネットワークシステム間のインターフェイスを示す図である。
【図２】２ａないし２ｄは、ＷＣＤＭＡシステムにおける異なる送信状態を示す図である。
【図３】本発明による方法をフローチャートの形態で示す図である。
【図４】ＷＣＤＭＡシステムの送信状態を示す図である。
【図５】異なるシステムにより使用される周波数帯域を示す図である。
【図６】本発明によるターミナルの構成を示す図である。
【図１】
2006129531.tif 000003
【図２】
2006129531.tif 000004
【図３】
2006129531.tif 000005
【図４】
2006129531.tif 000006
【図５】
2006129531.tif 000007
【図６】
2006129531.tif 000008
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
第１セルラー無線システムを使用するターミナルにおいて少なくとも１つの第２セルラー無線システムにより送信された信号の電力レベルの測定を該第２セルラー無線システムへの切り換えを判断するために開始する方法であって、上記第１セルラー無線システムは上記第２セルラー無線システムとは異なるセルラー無線システムであり、上記方法は、
上記ターミナルにより受信された上記第１セルラー無線システムのベースステーションの信号の電力レベルが所定のスレッシュホールド値より低いままであるときの後にのみ、上記ターミナルに少なくとも１つの空き測定周期が許可され、上記第２セルラー無線システムの少なくとも１つのベースステーションにより送信される信号の電力レベルの測定を上記ターミナルが上記第１セルラー無線システムとの無線接続を維持している間に開始することを特徴とする方法。
【請求項２】
ベースステーション特有のスレッシュホールド値が定義される請求項１に記載の方法。
【請求項３】
ベースステーション特有のスレッシュホールド値がベースステーションのリストに関連してターミナルに送信される請求項２に記載の方法。
【請求項４】
上記ターミナルは、上記第１セルラー無線システムへ、上記第２セルラー無線システムのベースステーションの送信電力の測定に関連する応答情報を与える請求項１に記載の方法。
【請求項５】
上記ターミナルは、上記第１セルラー無線システムへ、上記第２セルラー無線システムのベースステーションの送信電力の測定に関連する応答情報として上記第１セルラー無線ネットワークにおけるターミナル位置の推定を送信する請求項４に記載の方法。
【請求項６】
上記測定は、圧縮送信モードを使用して実行される請求項１に記載の方法。
【請求項７】
上記第１セルラー無線システムは、少なくとも１つのスレッシュホールド値を上記ターミナルへ送信し（301）、
上記ターミナルは、上記第１セルラー無線システムの少なくとも１つのベースステーションにより送信される信号の強度を測定し（302）、
上記ターミナルは、その測定された信号強度を上記スレッシュホールド値と比較し（303）、
上記測定された信号強度が上記スレッシュホールド値より低い場合に、上記ターミナルは、上記第１セルラー無線システム（304）へ、空き測定周期の要求を送信し（304）、
上記要求に対する応答として、上記第１セルラー無線システムは、上記ターミナルに送信される少なくとも１つのフレームの間に圧縮送信モードを使用し、そして
上記ターミナルは、圧縮送信モードにより形成された少なくも１つの空き測定周期中に上記第２セルラー無線システムの少なくとも１つのベースステーションの信号強度を測定する（305）という段階を含む請求項１に記載の方法。
【請求項８】
上記セルラー無線システムは、ＷＣＤＭＡシステムである請求項１に記載の方法。
【請求項９】
上記少なくとも１つの第２セルラー無線システムは、ＧＳＭ９００システムである請求項１に記載の方法。
【請求項１０】
上記少なくとも１つの第２セルラー無線システムは、ＧＳＭ１８００システムである請求項１に記載の方法。
【請求項１１】
上記少なくとも１つの第２セルラー無線システムは、ＵＴＲＡ  ＴＤＤシステムである請求項１に記載の方法。
【請求項１２】
第１セルラー無線システムを使用する間に、少なくとも１つの第２セルラー無線システムにより送信される信号の電力レベルの測定を該第２セルラー無線システムへの切り換えを判断するために開始することのできるセルラー無線システムのターミナルであって、上記第１セルラー無線システムは上記第２セルラー無線システムとは異なるセルラー無線システムであり、上記ターミナルは、
上記第１セルラー無線システムにより上記ターミナルに送信される少なくとも１つのスレッシュホールド値を受信するための手段と、
上記第１セルラー無線システムの少なくとも１つのベースステーションにより送信される信号の強度を測定するための手段と、
その測定された信号強度を上記スレッシュホールド値と比較するための手段（616）と、
上記第１セルラー無線システムへ、空き測定周期の要求を送信する手段（617）であって、上記測定された信号強度が上記スレッシュホールド値より低いときの後にのみ、上記空き測定周期の要求を送信するように構成された手段と、
少なくとも１つの空き測定周期中に上記第２セルラー無線システムの少なくとも１つのベースステーション信号を測定するための手段であって、上記ターミナルは、上記第２セルラー無線システムの測定中、上記第１セルラー無線システムとの無線接続を維持する、上記手段と、
を備えたことを特徴とするターミナル。
【請求項１３】
上記ターミナルは、圧縮送信モードで測定を実行するように構成された請求項１２に記載のターミナル。
【請求項１４】
上記ターミナルは、移動ステーションである請求項１２に記載のターミナル。